(57)【要約】【課題】計量値の改竄等による不正使用を阻止することが可能なメータを提供すること。【解決手段】供給される計量対象物の物理量を計量する計量機能を備えたメータ１０であって、メータ本体１を封印する封印装置２と、封印装置２に備えられた非接触ＩＣタグ７とを備えている。更に非接触ＩＣタグ７は、信号送受信用のアンテナと、アンテナによって受信された受信信号に対する応答信号を生成し、生成したアンテナから送信させる送受信回路と、送受信回路によるデータの読み書きが可能な記憶手段とを有している。【選択図】      図１
2006250806.tif 000002
【特許請求の範囲】
【請求項１】
供給される計量対象物の物理量を計量する計量機能を備えたメータであって、
メータ本体を封印する封印装置と、
信号送受信用の第１のアンテナと、前記第１のアンテナによって受信された受信信号に対する応答信号を生成し、生成した応答信号を前記第１のアンテナから送信させる第１の送受信回路と、前記第１の送受信回路によるデータの読み書きが可能な第１の記憶手段とを有し、前記封印装置に備えられた非接触ＩＣタグと
を備えたメータ。
【請求項２】
請求項１に記載のメータにおいて、
前記第１のアンテナと信号の送受信を行う第２のアンテナと、前記第２のアンテナによって受信された受信信号に対する応答信号を生成し、生成した応答信号を前記第２のアンテナから送信させる第２の送受信回路と、前記第２の送受信回路によるデータの読み書きが可能な第２の記憶手段とをそれぞれ前記メータ本体に備えたメータ。
【請求項３】
請求項２記載のメータにおいて、
前記第１の記憶手段と前記第２の記憶手段とにそれぞれ同一の識別情報を記憶させておき、
前記非接触ＩＣタグでは、前記第１の送受信回路が、前記第１の記憶手段に記憶されている識別情報を取得して、この取得した識別情報を前記第１のアンテナから予め定めた周期で送信させ、
前記第２のアンテナは、前記第１のアンテナから送信される識別情報を受信し、
前記第２の送受信回路は、前記第２のアンテナによって前記識別情報が前記予め定めた周期で受信されなかった場合、又は前記第２のアンテナによって受信された識別情報が、前記第２の記憶手段に記憶されている識別情報と一致しない場合には、その時点における日時情報、又は計量値情報、又は日時情報と計量値情報との両方を前記第２の記憶手段に書き込むようにしたメータ。
【請求項４】
請求項３に記載のメータにおいて、
前記第２のアンテナによって前記識別情報が前記予め定めた周期で受信されなかった場合、又は前記第２のアンテナによって受信された識別情報が、前記第２の記憶手段に記憶されている識別情報と一致しない場合には、前記計量対象物の供給を遮断する遮断手段を更に前記メータ本体に備えたメータ。
【請求項５】
請求項３に記載のメータにおいて、
前記第２のアンテナによって前記識別情報が前記予め定めた周期で受信されなかった場合、又は前記第２のアンテナによって受信された識別情報が、前記第２の記憶手段に記憶されている識別情報と一致しない場合には、前記封印装置に異常が発生したものと判定し、この異常を報知する異常報知手段を更に前記メータ本体に備えたメータ。
【請求項６】
請求項３に記載のメータにおいて、
前記第２のアンテナによって前記識別情報が前記予め定めた周期で受信されなかった場合、又は前記第２のアンテナによって受信された識別情報が、前記第２の記憶手段に記憶されている識別情報と一致しない場合には、前記封印装置に異常が発生したものと判定し、この異常の発生を、前記計量対象物の供給側に通知する異常発生通知手段を更に前記メータ本体に備えたメータ。
【発明の詳細な説明】
【技術分野】
【０００１】
本発明は、例えば電力、ガス、水道等の計量対象物が供給された物理量を計量するメータに関し、更に詳しくは、計量値の改竄等による不正使用を防止するための封印装置を備えたメータに関する。
【背景技術】
【０００２】
従来、電気、ガス、水道などを、電力会社、ガス会社、水道局などの供給側（事業者）から、企業や一般等の需要家に対して供給される供給物の供給量は、需要家に設けられ、計量機能を備えた電力メータ、ガスメータ、水道メータ等のメータによって管理されている。
【０００３】
この種のメータには、メータの検定完了後メータが開封される事が無い様にすると共に、事業者が取付け工事完了後に需要家がメータを誤操作、不正等を行わない様にすることを目的として封印装置が設けられている。
【０００４】
そして、この封印装置によってメータ本体を一度封印すると、切断または破壊しない限り封印装置が外れないようになっていて、計量値の改竄等による不正使用が防止されている。
【０００５】
この種の従来の封印装置には、取付けネジにワイヤーを通して鉛玉またはプラスチック製の玉を圧着するワイヤー式封印装置と、取付けネジにプラスチック製のカバーをはめ込むワンタッチ式封印装置がある。
【特許文献１】特願２００３−２２８６１８号公報
【発明の開示】
【発明が解決しようとする課題】
【０００６】
しかしながら、このような従来の封印装置が備えられたメータでは、以下のような問題がある。
【０００７】
すなわち、従来技術によるメータでは、需要家毎に固有の封印装置が使用されている訳ではなく、全て共通の封印装置が使用されている。このため、封印装置が外され、メータの計量値が改竄されても、同一仕様の封印装置で封印されて元に戻されてしまえば、外見上は、普通のメータと何ら変わることがなくなるために、計量値が改竄されたことを認識することができず、不正使用される恐れがあるという問題がある。
【０００８】
本発明はこのような事情に鑑みてなされたものであり、封印装置が外された場合には、それを認識することができ、もって、計量値の改竄等による不正使用を阻止することが可能なメータを提供することを目的とする。
【課題を解決するための手段】
【０００９】
上記の目的を達成するために、本発明では、以下のような手段を講じる。
【００１０】
すなわち、請求項１の発明は、供給される計量対象物の物理量を計量する計量機能を備えたメータであって、メータ本体を封印する封印装置と、封印装置に備えられた非接触ＩＣタグとを備えている。そして、非接触ＩＣタグは、信号送受信用の第１のアンテナと、第１のアンテナによって受信された受信信号に対する応答信号を生成し、生成した応答信号を第１のアンテナから送信させる第１の送受信回路と、第１の送受信回路によるデータの読み書きが可能な第１の記憶手段とを有している。
【００１１】
また、請求項２の発明は、請求項１の発明のメータにおいて、メータ本体に、第１のアンテナと信号の送受信を行う第２のアンテナと、第２のアンテナによって受信された受信信号に対する応答信号を生成し、生成した応答信号を第２のアンテナから送信させる第２の送受信回路と、第２の送受信回路によるデータの読み書きが可能な第２の記憶手段とをそれぞれ備えている。
【００１２】
請求項３の発明は、請求項２記載のメータにおいて、第１の記憶手段と第２の記憶手段とにそれぞれ同一の識別情報を記憶させておく。そして、非接触ＩＣタグでは、第１の送受信回路が、第１の記憶手段に記憶されている識別情報を取得して、この取得した識別情報を第１のアンテナから予め定めた周期で送信させる。また、第２のアンテナは、第１のアンテナから送信される識別情報を受信する。そして、第２の送受信回路は、第２のアンテナによって識別情報が予め定めた周期で受信されなかった場合、又は第２のアンテナによって受信された識別情報が、第２の記憶手段に記憶されている識別情報と一致しない場合には、その時点における日時情報、又は計量値情報、又は日時情報と計量値情報との両方を第２の記憶手段に書き込む。
【００１３】
請求項４の発明は、請求項３の発明のメータにおいて、メータ本体に更に遮断手段を備えている。この遮断手段は、第２のアンテナによって識別情報が予め定めた周期で受信されなかった場合、又は第２のアンテナによって受信された識別情報が、第２の記憶手段に記憶されている識別情報と一致しない場合には、計量対象物の供給を遮断する。
【００１４】
請求項５の発明は、請求項３の発明のメータにおいて、メータ本体に更に異常報知手段を備えている。この異常報知手段は、第２のアンテナによって識別情報が予め定めた周期で受信されなかった場合、又は第２のアンテナによって受信された識別情報が、第２の記憶手段に記憶されている識別情報と一致しない場合には、封印装置に異常が発生したものと判定し、この異常を報知する。
【００１５】
請求項６の発明は、請求項３の発明のメータにおいて、メータ本体に更に異常発生通知手段を備えている。この異常発生通知手段は、第２のアンテナによって識別情報が予め定めた周期で受信されなかった場合、又は第２のアンテナによって受信された識別情報が、第２の記憶手段に記憶されている識別情報と一致しない場合には、封印装置に異常が発生したものと判定し、この異常の発生を、計量対象物の供給側に通知する。
【発明の効果】
【００１６】
本発明によれば、封印装置が外された場合には、それを認識することができる。
【００１７】
以上により、計量値の改竄等による不正使用を阻止することが可能なメータを実現することが可能となる。
【発明を実施するための最良の形態】
【００１８】
以下に、本発明を実施するための最良の形態について図面を参照しながら説明する。
【００１９】
なお、以下の実施の形態では、電力メータを例に説明するが、本発明でいうメータは、電力メータへの使用が限定される訳ではなく、当然のことながら、ガスメータ、水道メータ等といった他のメータへの適用も可能である。
【００２０】
図１は、本発明の実施の形態に係る電力メータ１０の使用環境を示す概念図である。
【００２１】
すなわち、同実施の形態に係る電力メータ１０は、図１に示すように、メータ本体１と、メータ本体１を封印する封印装置２とを備えている。また、封印装置２の一面には、接着剤等により非接触ＩＣタグ７が貼り付けられている。
【００２２】
封印装置２は、図２に示すように、メータ本体１の裏面に端子カバー３を固定する封印ネジ６を挿入するための封印ネジ嵌合部２１と、封印ネジ６から封印ネジ嵌合部２１を取り外す際に、封印装置２を割れ易くする為の分割用溝２２とを有している。そして、分割用溝２２を有する側の側面２３に、非接触ＩＣタグ７が接着剤等により貼り付けられるようにしている。
【００２３】
そして、封印ネジ嵌合部２１に、封印ネジ６を押し込み、封印ネジ嵌合部２１と封印ネジ６とを嵌合する。これによって、封印装置２は、メータ本体１を封印する。
【００２４】
また、図３は、非接触ＩＣタグ７の構成例を示す機能ブロック図である。すなわち、非接触ＩＣタグ７は、アンテナ７１と、送受信回路７２と、記憶装置７３とを備えている。
【００２５】
アンテナ７１は、電力メータ１０の定期点検等の作業を行う作業者８によって携帯されるハンディタイプのＩＣタグ読取・設定器９や、メータ本体１が備えている後述するアンテナ１１との間で、無線通信回線５ｂを介して信号の送受信を行う。
【００２６】
記憶装置７３は、送受信回路７２によって情報の読み書きがなされるものであり、この電力メータ１０に与えられた固有の識別情報を記憶している。ここで識別情報としては具体的に、ＩＤ番号、需要家番号、検定実施日、検定期間、メータ設置日等メータ固有の情報を用いることができる。
【００２７】
送受信回路７２は、記憶装置７３から、識別情報を読み出し、読み出した識別情報を、アンテナ７１から、メータ本体１が備えている後述するアンテナ１１へ、予め定められた送信周期で送信させる。また、アンテナ７１によって信号が受信されると、必要に応じてこの受信信号を記憶装置７３に書き込んだり、記憶装置７３から必要な情報を読み出すことによって、この受信信号に対する応答信号を生成し、アンテナ７１から送信させる。
【００２８】
図４は、このような構成をした非接触ＩＣタグ７が側面２３に貼り付けられた封印装置２を、端子カバー３から取り外す際の状態を示す概念図である。
【００２９】
すなわち、封印装置２を、端子カバー３から取り外す場合には、封印装置２を図中矢印方向（上方向）に引っ張ることによって行う。すると、この引っ張り力によって、封印装置２は、分割用溝２２から亀裂が生じ、側面２３が割れる。したがって、この側面２３に貼り付けてある非接触ＩＣタグ７も破壊されることになる。
【００３０】
このように、端子カバー３に一度封印装置２を装着すると、この封印装置２、すなわち非接触ＩＣタグ７が破壊されることなくしては、封印ネジ６を回すことができないために、メータ本体１の中身を開くことができないようにしている。
【００３１】
また、図５は、本発明の実施の形態に係る電力メータ１０のメータ本体１の中身に搭載された各構成要素の一例を示す機能ブロック図である。
【００３２】
図５に示すように、メータ本体１は、アンテナ１１と、送受信回路１２と、記憶装置１３と、ＣＰＵ１４と、表示部１５と、計量部１６と、遮断装置１７と、通信部１８とを備えている。
【００３３】
アンテナ１１は、非接触ＩＣタグ７のアンテナ７１との間で、無線通信回線５ｂを介して情報を送受信する。そして、情報を受信すると、受信した情報を、送受信回路１２に出力する。また、送信する情報は、送受信回路１２から供給される。
【００３４】
送受信回路１２は、アンテナ１１によって受信された受信信号をＣＰＵ１４に出力したり、記憶装置１３に書き込む。また、ＣＰＵ１４からの指示に基づいて、記憶装置１３に記憶されている情報を適宜用いて、受信信号に対する応答信号を生成し、生成した応答信号をアンテナ１１から送信させる。
【００３５】
記憶装置１３は、この電力メータ１０に与えられた固有の識別情報や、非接触ＩＣタグ７から送信される信号の送信周期を記憶している。すなわち、記憶装置１３に記憶されている識別情報と、記憶装置７３に記憶されている識別情報とは同一である。また、ＣＰＵ１４からの指示にしたがって、アンテナ１１によって受信された信号が、送受信回路１２によって書き込まれる。
【００３６】
計量部１６は、電力会社等の電力供給者から家庭、ビル、工場等の、この電力メータ１０が備えられた需要家に供給される電力を計量し、計量結果をＣＰＵ１４に出力する。
【００３７】
通信部１８は、有線通信回線５ａを介して電力供給者センタ装置４との間で情報の送受信を行う。そして、情報を受信すると、受信した情報をＣＰＵ１４に出力する。送信する情報は、例えば、ＣＰＵ１４によってカレンダ情報が付された計量結果や、封印装置２に異常が発生したものとＣＰＵ１４が判定した場合にＣＰＵ１４から出力された異常発生通知信号がある。
【００３８】
表示部１５は、封印装置２に異常が発生したものとＣＰＵ１４が判定した場合には、ＣＰＵ１４からの指示にしたがって、異常を知らせるための点滅表示を行う。
【００３９】
遮断装置１７は、封印装置２に異常が発生したものとＣＰＵ１４が判定した場合には、ＣＰＵ１４からの指示にしたがって、電力供給者から需要家へ供給される電力を遮断する。
【００４０】
ＣＰＵ１４は、カレンダ機能を持っており、メータ本体１の機能の全体制御を行う部位であり、例えば以下のように機能する。計量部１６から計量結果が出力されると、この計量結果に、カレンダ機能を用いてカレンダ情報を付加する。そして、このようにカレンダ情報が付加された計量結果を通信部１８から有線通信回線５ａを介して電力供給者センタ装置４へと送信させる。
【００４１】
また、ＣＰＵ１４は、アンテナ１１が、アンテナ７１から送信された識別情報を受信すると、この識別情報を送受信回路１２を介して取得し、取得した識別情報を、取得した日時時刻情報とともに記憶装置１３に書き込む。そして、取得した識別情報を、記憶装置７３にもともと書き込まれている識別情報と比較し、両識別情報が一致しない場合には、封印装置２に異常が発生したものと判定する。異常の内容としては、封印装置２が破壊された場合、破壊された後に別の封印装置２によってすり替えられて封印された場合、非接触ＩＣタグ７自体が故障した場合等が考えられる。特に、封印装置２が破壊されたり、別の封印装置２によってすり替えられて封印された場合には、メータ本体１の中身が開かれ、計量結果が改竄されている恐れがある。
【００４２】
また、ＣＰＵ１４は、両識別情報が一致する場合であっても更に、今回の送信で識別情報が送られてきた日時時刻情報と、前回の送信時に識別情報が書き込まれた日時時刻情報とから識別情報の送信周期を求める。そして、この送信周期と、記憶装置１３に書き込まれている送信周期とを比較し、両周期が一致しない場合には、封印装置２に異常が発生したものと判定する。この場合の異常の内容としては、非接触ＩＣタグ７自体の故障が考えられる。
【００４３】
このように、封印装置２に異常が発生したものと判定した場合には、ＣＰＵ１４は、この時点における日時時刻情報及び、計量部１６からの計量結果を記憶装置１３に書き込む。そして、遮断装置１７を動作させ、電力供給者から需要家へ供給される電力を遮断する。また、表示部１５を動作させ、作業者８に異常を知らせるための点滅表示をさせる。更に、通信部１８から、電力供給者センタ装置４に対して異常発生通知を送信させる。
【００４４】
上述したように、同実施の形態に係る電力メータ１０においては、上記のように構成しているので、封印装置２に貼り付けられた非接触ＩＣタグ７から送信された識別情報及び送信周期を、メータ本体１の記憶装置１３に記憶された識別情報及び送信周期とそれぞれ比較することができる。
【００４５】
これによって、封印装置２が破壊されたり、他の封印装置２にすり替えられること等によって封印装置２に異常があった場合には、非接触ＩＣタグ７から送信された識別情報と、記憶装置７３に記憶された識別情報とが一致しないので、直ちに異常を認識することができ、もって、計量値の改竄等による不正使用を阻止することが可能となる。
【００４６】
また、封印装置２が破壊されたり、他の封印装置２にすり替えられる他に、非接触ＩＣタグ７自身が故障したり、停電等で通信不能になった場合であっても、決められた送信周期で識別情報が送信されてこないことを検知することにより、そのような異常の発生を認識することが可能となる。
【００４７】
更に、異常発生時には、電力の供給を遮断することによって、不正使用を完全に阻止する一方、表示部１５を点滅させること、電力供給者センタ装置４に異常発生通知を送ることによって、異常の発生を、作業者８や電力供給者に迅速に知らせることができる。更にまた、異常発生時には、異常発生時点における日時時刻情報及び計量結果を記憶装置１３に書き込むことができるので、作業者８や電力供給者は、異常発生時点の特定や、その後の需要家へのペナルティなどといった迅速な対応も期待できるようになる。
【００４８】
以上、本発明を実施するための最良の形態について、添付図面を参照しながら説明したが、本発明はかかる構成に限定されない。特許請求の範囲の発明された技術的思想の範疇において、当業者であれば、各種の変更例及び修正例に想到し得るものであり、それら変更例及び修正例についても本発明の技術的範囲に属するものと了解される。
【図面の簡単な説明】
【００４９】
【図１】本発明の実施の形態に係る電力メータの使用環境を示す概念図。
【図２】封印装置と端子カバーとの結合方法を説明する概念図。
【図３】非接触ＩＣタグの構成例を示す機能ブロック図。
【図４】封印装置を端子カバーから取り外す際の状態を示す概念図。
【図５】本発明の実施の形態に係る電力メータに搭載された各構成要素の一例を示す機能ブロック図。
【符号の説明】
【００５０】
１…メータ本体、２…封印装置、３…端子カバー、４…電力供給者センタ装置、５ｂ…無線通信回線、５ａ…有線通信回線、６…封印ネジ、７…ＩＣタグ、８…作業者、９…ＩＣタグ読取・設定器、１０…電力メータ、１１…アンテナ、１２…送受信回路、１３…記憶装置、１４…ＣＰＵ、１５…表示部、１６…計量部、１７…遮断装置、１８…通信部、２１…封印ネジ嵌合部、２２…分割用溝、２３…側面、７１…アンテナ、７２…送受信回路、７３…記憶装置
【図１】
2006250806.tif 000003
【図２】
2006250806.tif 000004
【図３】
2006250806.tif 000005
【図４】
2006250806.tif 000006
【図５】
2006250806.tif 000007